(57)【要約】【課題】  異なる電力線相互間に電力線通信号を簡単に重畳するとこで通信が可能となる電力線通信ネットワークを構築する。【解決手段】  ３本以上の電力線４１〜４３と、電力線の少なくとも２本４２、４３にそれぞれ結合されて相互に通信する端末装置Ａ、Ｂと、各電力線４１〜４３同士を相互に高周波結合する第１の結合装置４４、４５とを備え、第１の結合装置４４、４５は、電力線の１本４２が挿通された第１の磁気コア４４ａと、電力線の他の１本４１が挿通された第２の磁気コア４４ｃと、第１及び第２の磁気コアにそれぞれ巻回された第１及び第２の導体線４４ｂ、４５ｂとからなり、第１の導体線４４ｂと第２の導体線４４ｄと互いに接続してループを形成した。【選択図】        図１
2005236461.tif 000002
【特許請求の範囲】
【請求項１】
３本以上の電力線と、前記電力線の少なくとの２にそれぞれ結合されて相互に通信する端末装置と、前記各電力線同士を相互に高周波結合する第１の結合装置とを備え、前記第１の結合装置は、前記電力線の１本が挿通された第１の磁気コアと、前記電力線の他の１本が挿通された第２の磁気コアと、前記第１及び第２の磁気コアにそれぞれ巻回された第１及び第２の導体線とからなり、前記第１の導体線と前記第２の導体線と互いに接続してループを形成したことを特徴とする電力線通信ネートワーク。
【請求項２】
前記電力線を接地電力線と２本の非接地電力線とからなる単相３線式の電力線としたことを特徴とする請求項１に記載の電力線通信ネットワーク。
【請求項３】
前記電力線を接地電力線と３本の非接地電力線とからなる３相４線式の電力線としたことを特徴とする請求項１に記載の電力線通信ネートワーク。
【請求項４】
前記端末装置を前記接地電力線と前記３本の非接地電力線の内の１本との間、及び前記接地電力線と前記３本の非接地電力線の内の他の１本との間に接続したことを特徴とする請求項３に記載の電力線通信ネットワーク。
【請求項５】
前記端末装置を第２の結合装置を介して前記各非接地電力線に結合したことを特徴とする請求項２又は４に記載の電力線通信ネットワーク。
【請求項６】
前記第２の結合装置は前記各非接地電力線がそれぞれ挿通された第３の磁気コアと前記第３の磁気コアに巻回された第３の導体線とからなり、前記第３の導体線に前記端末装置を接続したことを特徴とする請求項５に記載の電力線通信ネットワーク。
【請求項７】
前記各磁気コアを、２つに分割された２分割フェライトコアで構成したことを特徴とする請求項１乃至６の何れかに記載の電力線通信ネットワーク。
【発明の詳細な説明】
【技術分野】
【０００１】
本発明は、異なる電力線の間で簡単に通信ができるようにした電力線通信ネットワークに関する。
【背景技術】
【０００２】
３相３線式電力線を用いた従来の電力線通信ネットワークを図５に従って説明する。Ｒ相の電力線１０とＳ相の電力線２０との間に端末Ａが接続され、Ｓ相の電力線２０とＴ相の電力線３０との間に端末Ｂが接続され、Ｔ相の電力線３０とＲ相の電力線１０との間に端末Ｃが接続される。
【０００３】
また、Ｒ相の電力線１０とＳ相の電力線２０とＴ相の電力線３０との間には結合回路１００が接続される。結合回路１００は、低周波成分を遮断する第一のコンデンサＣ１と第二のコンデンサＣ２とトランスＴから構成され、トランスＴは一次コイルＬ１、二次コイルＬ２を有する。
【０００４】
すなわち、Ｒ相の電力線１０とＳ相の電力線２０との間は、第一のコンデンサＣ１とトランスＴの一次コイルＬ１とからなる直列回路を介して接続され、Ｓ相の電力線２０とＴ相の電力線３０との間は、トランスＴの二次コイルＬ２と第二のコンデンサＣ２とからなる直列回路を介して接続される。また、Ｔ相の電力線３０とＲ相の電力線１０との間は、第二のコンデンサＣ２、トランスＴ、第一のコンデンサＣ１を介して接続される。
【０００５】
これによって、Ｒ相の電力線１０とＳ相の電力線２０との間に接続される端末Ａ、Ｓ相の電力線２０とＴ相の電力線３０との間に接続される端末Ｂ、Ｔ相の電力線３０とＲ相の電力線１０との間に接続される端末Ｃとの間における電力線通信が可能となる（例えば、特許文献１参照。）。
【０００６】
【特許文献１】特開平０７−２３５８９７号公報（図１）。
【発明の開示】
【発明が解決しようとする課題】
【０００７】
上記構成では、電力線間にトランスを接続することで３相３線式電力線のいずれの２線間との間でも電力線通信が可能となるが、トランスを接続するための配線工事が煩雑になる。
【０００８】
本発明は、異なる電力線相互間に電力線通信号を簡単に重畳するとこで通信が可能となる電力線通信ネットワークを構築することを目的とする。
【課題を解決するための手段】
【０００９】
本発明の電力線通信ネットワークは、３本以上の電力線と、前記電力線の少なくとも２本にそれぞれ結合されて相互に通信する端末装置と、前記各電力線同士を相互に高周波結合する第１の結合装置とを備え、前記第１の結合装置は、前記電力線の１本が挿通された第１の磁気コアと、前記電力線の他の１本が挿通された第２の磁気コアと、前記第１及び第２の磁気コアにそれぞれ巻回された第１及び第２の導体線とからなり、前記第１の導体線と前記第２の導体線と互いに接続してループを形成した。
【００１０】
また、前記電力線を接地電力線と２本の非接地電力線とからなる単相３線式の電力線とした。
【００１１】
また、前記電力線を接地電力線と３本の非接地電力線とからなる３相４線式の電力線とした。
【００１２】
また、前記端末装置を前記接地電力線と前記３本の非接地電力線の内の１本との間、及び前記接地電力線と前記３本の非接地電力線の内の他の１本との間に接続した。
【００１３】
また、前記端末装置を第２の結合装置を介して前記各非接地電力線に結合した。
【００１４】
また、前記第２の結合装置は前記各非接地電力線がそれぞれ挿通された第３の磁気コアと前記第３の磁気コアに巻回された第３の導体線とからなり、前記第３の導体線に前記端末装置を接続した。
【００１５】
また、前記各磁気コアを、２つに分割された２分割フェライトコアで構成した。
【発明の効果】
【００１６】
請求項１に記載の電力線通信ネートワークによれば、第１の結合装置は、電力線の１本が挿通された第１の磁気コアと、電力線の他の１本が挿通された第２の磁気コアと、第１及び第２の磁気コアにそれぞれ巻回された第１及び第２の導体線とからなり、第１の導体線と第２の導体線と互いに接続してループを形成したので、異なる電力線を介して端末装置が互いに通信できる。
【００１７】
また、請求項２に記載の電力線通信ネートワークによれば、電力線を接地電力線と２本の非接地電力線とからなる単相３線式の電力線としたので、家庭に引き込まれた電力用の電力線を使用して端末装置同士の通信ができる。
【００１８】
また、請求項３に記載の電力線通信ネートワークによれば、電力線を接地電力線と３本の非接地電力線とからなる３相４線式の電力線としたので、中国で一般的に普及している電力線でも通信できる。
【００１９】
また、請求項４に記載の電力線通信ネートワークによれば、端末装置を接地電力線と３本の非接地電力線の内の１本との間、及び接地電力線と３本の非接地電力線の内の他の１本との間に接続したので、接地線を利用しての通信ができる。
【００２０】
また、請求項５に記載の電力線通信ネートワークによれば、端末装置を第２の結合装置を介して各非接地電力線に結合したので、接地電力線と非接地電力線とを使用して通信ができる。
【００２１】
また、請求項６に記載の電力線通信ネートワークによれば、第２の結合装置は各非接地電力線がそれぞれ挿通された第３の磁気コアと第３の磁気コアに巻回された第３の導体線とからなり、第３の導体線に端末装置を接続したので、非接地電力線のみを使用して通信がてきる。
【００２２】
また、請求項７に記載の電力線通信ネートワークによれば、各磁気コアを、２つに分割された２分割フェライトコアで構成したので、各結合装置を簡単に電力線に結合することができる。
【発明を実施するための最良の形態】
【００２３】
以下、図面に従って本発明の電力線通信ネットワークを説明する。図１は家庭用の電力用の単相３線式の電力線を使用した第１の実施形態を示す。図１において、単相変圧器４０に３本の電力線４１、４２、４３が接続される。単相変圧器４０の中性点に接続された接地電力線は４１は接地され、他の非接地電力線４２、４３は接地されていない。そして、接地電力線４１と一方の非接地電力線４２との間の電圧と、接地電力線４１と他方の非接地電力線４３との間の電圧とは互いに等しく、二つの非接地電力線４２、４３間の電圧はその２倍となっている。
【００２４】
非接地電力線４２と接地電力線４１、及び非接地電力線４３と接地電力線４１とはそれぞれ第１の結合装置４４、４５によって高周波的に相互結合される。一方の第１の結合装置４４は、非接地電力線４２が挿通された環状の第１の磁気コア４４ａと、それに巻回された第１の導体線４４ｂと、接地電力線４１が挿通された第２の磁気コア４４ｃと、それに巻回された第２の導体線４４ｄとを有し、第１の導体線４４ｂと第２の導体線４４ｄとが閉ループを構成するように相互接続される。
【００２５】
また、他方の第１の結合装置４５は、接地電力線４１が挿通された環状の第１の磁気コア４５ａと、それに巻回された第１の導体線４５ｂと、非接地電力線４３が挿通された第２の磁気コア４５ｃと、それに巻回された第２の導体線４５ｄとを有し、第１の導体線４５ｂと第２の導体線４５ｄとが閉ループを構成するように相互接続される。
【００２６】
また、非接地電力線４２と４３にはそれぞれは第２の結合装置４６、４７を介して端末装置Ａ、Ｂが結合される。一方の第２の結合装置４６は非接地電力線４２が挿通された第３の磁気コア４６ａとそれに巻回された第３の導体線４６ｂとを有し、第３の導体線４６ｂに端末装置Ａが接続される。同様に、他方の第２の結合装置４７は非接地電力線４３が挿通された第３の磁気コア４７ａとそれに巻回された第３の導体線４７ｂとを有し、第３の導体線４７ｂには端末装置Ａと相互通信するための端末装置Ｂが接続される。
【００２７】
以上の構成によれば、例えば端末装置Ａから出力された信号は第２の結合装置４６の第３の導体線４６ｂに流れ、これが第３の磁気コア４６ａを介して非接地電力線４２に重畳される。非接地電力線４２に重畳された信号は一方の第１の結合装置４４を介して接地電力線４１に誘起される。すなわち、非接地電力線４２に重畳された信号は第１の磁気コア４４ａを介して第１の導体線４４ｂに誘起されると共に第２の導体線４４ｄに流れる。そして、第２の磁気コア４４ｃを介して接地電力線４１に重畳される。
【００２８】
接地電力線４１に重畳された信号は、他方の第１の結合装置４５によって非接地電力線４３に重畳される。そして、非接地電力線４３に重畳された信号は、他方の第２の結合装置４７の第３の導体線４７ｂに誘起してそれが端末装置Ｂに入力される。よって、端末装置ＡとＢとの間で通信が可能となる。
【００２９】
図２及び図３は３相４線式の電力線を使用した第２の実施形態を示す。先ず図２において、３相変圧器５０に３本の電力線５１、５２、５３、５４接続される。３相変圧器５０の中性点に接続された接地電力線は５１は接地され、他の非接地電力線５２、５３、５４は接地されていない。接地電力線５１他の非接地電力線５２、５３、５４との間の電圧は互いに等しく、各非接地電力線５２、５３、５４相互間の電圧はその√３倍である。
【００３０】
非接地電力線５２〜５４間はそれぞれ第１の結合装置４４、４５によって高周波的に相互結合される。一方の第１の結合装置４４は、非接地電力線５２が挿通された環状の第１の磁気コア４４ａと、それに巻回された第１の導体線４４ｂと、非接地電力線５３が挿通された第２の磁気コア４４ｃと、それに巻回された第２の導体線４４ｄとを有し、第１の導体線４４ｂと第２の導体線４４ｄとが閉ループを構成するように相互接続される。
【００３１】
また、他方の第１の結合装置４５は、非接地電力線５３が挿通された環状の第１の磁気コア４５ａと、それに巻回された第１の導体線４５ｂと、非接地電力線５４が挿通された第２の磁気コア４５ｃと、それに巻回された第２の導体線４５ｄとを有し、第１の導体線４５ｂと第２の導体線４５ｄとが閉ループを構成するように相互接続される。
【００３２】
また、非接地電力線５２と５３と５４とにはそれぞれは第２の結合装置４６、４７、４８を介して端末装置Ａ、Ｂ、Ｃが結合される。一方の第２の結合装置４６は非接地電力線５２が挿通された第３の磁気コア４６ａとそれに巻回された第３の導体線４６ｂとを有し、第３の導体線４６ｂに端末装置Ａが接続される。同様に、他の第２の結合装置４７は非接地電力線５３が挿通された第３の磁気コア４７ａとそれに巻回された第３の導体線４７ｂとを有し、第３の導体線４７ｂには端末装置Ａが接続される。また、他の第２の結合装置４８は非接地電力線５４が挿通された第３の磁気コア４８ａとそれに巻回された第３の導体線４８ｂとを有し、第３の導体線４８ｂには端末装置Ｃが接続される。端末装置Ａ〜Ｃは相互通信するためのものである。
【００３３】
以上の構成によれば、例えば端末装置Ａから出力された信号は第２の結合装置４６の第３の導体線４６ｂに流れ、これが第３の磁気コア４６ａを介して非接地電力線５２に重畳される。非接地電力線５２に重畳された信号は一方の第１の結合装置４４を介して非接地電力線５３に誘起される。すなわち、非接地電力線５２に重畳された信号は第１の磁気コア４４ａを介して第１の導体線４４ｂに誘起されると共に第２の導体線４４ｄに流れる。そして、第２の磁気コア４４ｃを介して非接地電力線５３に重畳される。非地電力線５３に重畳された信号は、他方の第１の結合装置４５によって非接地電力線５４に重畳される。
【００３４】
よって、非接地電力線５３に重畳された信号は、他方の第２の結合装置４７の第３の導体線４７ｂに誘起してそれが端末装置Ｂに入力される。また、非接地電力線５４に重畳された信号は、他の第２の結合装置４８の第３の導体線４８ｂに誘起してそれが端末装置Ｃにも入力される。よって、端末装置ＡとＢとＣとの間で通信が可能となる。
【００３５】
図３は、端末装置Ａ〜Ｃがそれぞれ接地電力線５１と非接地電力線５２、５３、５４との間に接続された構成であり、その他の構成は図１と同じである。
【００３６】
なお、各磁気コア４４ａ〜４８ａは図４に示すように、二つに分割された半円形のの２分割フェライトコアａ１、ａ２によって構成し、それらを樹脂ケースｂ１、ｂ２内に収め、樹脂ケースｂ１、ｂ２に係止手段（図示せず）を設けることで、２分割フェライトコアａ１、ａ２の接合面を合わせるようにすれば、環状となった各磁気コア４４ａ〜４８ａに電力線を挿通することが容易である。
【図面の簡単な説明】
【００３７】
【図１】本発明の電力線通信ネートワークの第１の実施形態を示す構成図である。
【図２】本発明の電力線通信ネートワークの第２の実施形態を示す構成図である。
【図３】本発明の電力線通信ネートワークの第２の実施形態の他の例を示す構成図である。
【図４】本発明の電力線通信ネートワークに使用する磁気コアの構成図である。
【図５】従来の電力線通信ネートワークの構成図である。
【符号の説明】
【００３８】
４０：単相変圧器
４１：接地電力線
４２、４３：非接地電力線
４４、４５：第１の結合装置
４４ａ：第１の磁気コア
４５ａ：第２の磁気コア
４４ｂ：第１の導体線
４５ｂ：第２の導体線
４６、４７、４８：第２の結合装置
４６ａ、４７ａ、４８ａ：第３の磁気コア
４６ｂ、４７ｂ、４８ｂ：第３の導体線
５０：三相変圧器
５１：接地電力線
５２、５３、５４：非接地電力線
Ａ、Ｂ、Ｃ：端末装置
ａ１、ａ２：２分割フェライトコア
【図１】
2005236461.tif 000003
【図２】
2005236461.tif 000004
【図３】
2005236461.tif 000005
【図４】
2005236461.tif 000006
【図５】
2005236461.tif 000007